(57)【要約】【課題】コンセントに対して各種寸法のコネクタを固定可能なケーブル固定具を実現する。【解決手段】ケーブル固定具３０は、押さえ４０とこれを支持する支持金具５０とを備える。押さえ４０は、コンセント１１とそれに差し込まれた電源ケーブル２０のコネクタ２１とに対向する板部４１と、その板部４１から、板部４１とコンセント１１との対向方向の一方側の方向Ｄ２に屈曲した板部４２とを有する。支持金具５０は、押さえ４０の板部４２を両面側から挟む固定金具６０と押さえ金具７０とを有する。押さえ４０は、コネクタ２１の寸法に合わせて、板部４１がコネクタ２１に当接され、その当接された位置で、板部４２が固定金具６０と押さえ金具７０とで固定される。各種寸法のコネクタ２１を、押さえ４０でコンセント１１側に押さえて固定し、コネクタ２１のコンセント１１からの抜けを抑制する。【選択図】図８
2020145021.tif 000002
【特許請求の範囲】
【請求項１】
第１コンセントと前記第１コンセントに差し込まれた第１ケーブルの第１コネクタとに対向する第１板部と、前記第１板部から、前記第１板部と前記第１コンセントとの対向方向の一方側に屈曲した第２板部とを有する第１押さえ部材と、
前記第１押さえ部材を支持し、前記第１板部が前記第１コネクタに当接する位置で前記第２板部を固定可能な支持部材と
を含むことを特徴とするケーブル固定具。
【請求項２】
前記支持部材は、未固定の前記第２板部を、前記対向方向に摺動可能に支持することを特徴とする請求項１に記載のケーブル固定具。
【請求項３】
前記支持部材は、
前記第２板部の一方の面側に設けられた第１支持具と、
前記第２板部の他方の面側に設けられた第２支持具と
を含み、
前記第１押さえ部材は、前記第２板部が前記第１支持具と前記第２支持具とによって挟まれることを特徴とする請求項１又は２に記載のケーブル固定具。
【請求項４】
前記第１支持具は、前記対向方向のうち前記第１板部が前記第１コネクタから離れる第１方向に延在した第３板部と、前記第３板部の前記第１方向端で屈曲して前記第１板部に対向する第４板部とを有し、
前記第２支持具は、前記第１方向に延在した第５板部と、前記第５板部の前記第１方向端で屈曲して前記第１板部に対向する第６板部とを有し、
前記第２板部は、前記第１板部から前記第１方向に延在して前記第３板部と前記第５板部との間に挟まれる第１部位と、前記第１部位から屈曲して前記第４板部と前記第６板部との間に挟まれる第２部位とを有することを特徴とする請求項３に記載のケーブル固定具。
【請求項５】
前記第２板部は、前記第１支持具と前記第２支持具との間に挟まれる領域のうちの一の箇所で屈曲可能な屈曲部を有し、屈曲される前記一の箇所に対して一方の側が前記第１部位となり、他方の側が前記第２部位となることを特徴とする請求項４に記載のケーブル固定具。
【請求項６】
前記屈曲部は、前記第２板部の表層に設けられ、前記第２板部の屈曲される方向と直交する第２方向に延在し、各々が前記第２板部の屈曲される前記一の箇所として屈曲可能な複数の切り欠き部を有することを特徴とする請求項５に記載のケーブル固定具。
【請求項７】
前記第１板部は、前記第２板部の屈曲される前記一の箇所が調整されることによって、前記第１コネクタに当接する位置に調整されることを特徴とする請求項５又は６に記載のケーブル固定具。
【請求項８】
前記第２支持具は、前記第５板部に設けられた開口部を有し、
前記第１押さえ部材は、前記第２板部上に設けられ、前記開口部から露出し、前記第２板部の屈曲される前記一の箇所を調整するためのつまみを有することを特徴とする請求項５乃至７のいずれかに記載のケーブル固定具。
【請求項９】
前記第１コンセントに並設された第２コンセントと前記第２コンセントに差し込まれた第２ケーブルの第２コネクタとに対向する第７板部と、前記第７板部から前記対向方向の前記一方側に屈曲した第８板部とを有する第２押さえ部材を更に含み、
前記支持部材は、前記第１押さえ部材を支持し、前記第１板部が前記第１コネクタに当接する位置で前記第２板部を固定可能であり、且つ、前記第２押さえ部材を支持し、前記第７板部が前記第２コネクタに当接する位置で前記第８板部を固定可能であることを特徴とする請求項１乃至８のいずれかに記載のケーブル固定具。
【請求項１０】
第１コンセントと、
前記第１コンセントに差し込まれた第１コネクタを有する第１ケーブルと、
前記第１ケーブルを固定するケーブル固定具と
を備え、
前記ケーブル固定具は、
前記第１コンセントと前記第１コネクタとに対向する第１板部と、前記第１板部から、前記第１板部と前記第１コンセントとの対向方向の一方側に屈曲した第２板部とを有する第１押さえ部材と、
前記第１押さえ部材を支持し、前記第１板部が前記第１コネクタに当接する位置で前記第２板部を固定可能な支持部材と
を含むことを特徴とする電子装置。
【発明の詳細な説明】
【技術分野】
【０００１】
本発明は、ケーブル固定具及び電子装置に関する。
【背景技術】
【０００２】
コンセントに接続されたケーブルのコネクタ又はプラグの、コンセントからの脱落を防止するための技術、コンセントとの接続を保持するための技術が知られている。例えば、ＡＣコードのプラグが挿し込まれるインレットの周囲に装着具を設け、その装着具に係止される固定具を用いて、インレットに挿し込まれたプラグと、インレットの周囲の装着具とを固定する技術が知られている。また、コンセントに接続された電源ケーブルの差込プラグの背面にプレート部材をセットし、そのプレート部材をコンセント側にネジ止め固定して、差込プラグをコンセント側に押圧する技術が知られている。
【先行技術文献】
【特許文献】
【０００３】
【特許文献１】特開２０１１−１８７３３４号公報
【特許文献２】特開２０１０−１５７４５８号公報
【発明の概要】
【発明が解決しようとする課題】
【０００４】
コンセントには、各種寸法（コンセントに対する挿抜方向の寸法又は奥行き）のコネクタを備えたケーブルが接続され得る。これまでの技術では、ケーブルのコネクタをコンセントに接続して固定するために、ケーブル毎に、そのコネクタの寸法に応じた固定具を準備したり、準備したその固定具の取り付け作業を行ったりすることを要する場合があった。或いは、固定具を共通とし、使用するケーブルを、その共通の固定具で固定可能な同寸法のコネクタを備えたものに限定することを要する場合があった。
【０００５】
１つの側面では、本発明は、コンセントに対して各種寸法のコネクタを固定可能なケーブル固定具を実現することを目的とする。
【課題を解決するための手段】
【０００６】
１つの態様では、第１コンセントと前記第１コンセントに差し込まれた第１ケーブルの第１コネクタとに対向する第１板部と、前記第１板部から、前記第１板部と前記第１コンセントとの対向方向の一方側に屈曲した第２板部とを有する第１押さえ部材と、前記第１押さえ部材を支持し、前記第１板部が前記第１コネクタに当接する位置で前記第２板部を固定可能な支持部材とを含むケーブル固定具が提供される。
【０００７】
また、１つの態様では、上記のようなケーブル固定具を用いた電子装置が提供される。
【発明の効果】
【０００８】
１つの側面では、コンセントに対して各種寸法のコネクタを固定可能なケーブル固定具を実現することが可能になる。
【図面の簡単な説明】
【０００９】
【図１】第１の実施の形態に係るケーブル固定具の第１の例について説明する図（その１）である。
【図２】第１の実施の形態に係るケーブル固定具の第１の例について説明する図（その２）である。
【図３】第１の実施の形態に係るケーブル固定具の第２の例について説明する図である。
【図４】ラックに搭載された電子装置とそれに接続された電源ケーブル及びケーブル固定具の一例を示す図である。
【図５】コンセントの一例を示す図である。
【図６】コネクタの一例を示す図である。
【図７】ケーブル固定具の一例を示す図である。
【図８】第２の実施の形態に係るケーブル固定具の一例について説明する図（その１）である。
【図９】第２の実施の形態に係るケーブル固定具の一例について説明する図（その２）である。
【図１０】第２の実施の形態に係るケーブル固定具の一例について説明する図（その３）である。
【図１１】第２の実施の形態に係るケーブル固定具の押さえの一例について説明する図（その１）である。
【図１２】第２の実施の形態に係るケーブル固定具の押さえの一例について説明する図（その２）である。
【図１３】第２の実施の形態に係るケーブル固定具の固定金具の一例について説明する図である。
【図１４】第２の実施の形態に係るケーブル固定具の押さえ金具の一例について説明する図である。
【図１５】第２の実施の形態に係るケーブル固定具を用いた固定方法について説明する図（その１）である。
【図１６】第２の実施の形態に係るケーブル固定具を用いた固定方法について説明する図（その２）である。
【図１７】第２の実施の形態に係るケーブル固定具を用いた固定方法について説明する図（その３）である。
【図１８】第２の実施の形態に係るケーブル固定具を用いた固定方法について説明する図（その４）である。
【図１９】第２の実施の形態に係るケーブル固定具を用いた固定方法について説明する図（その５）である。
【図２０】第２の実施の形態に係るケーブル固定具を用いた固定方法について説明する図（その６）である。
【図２１】第２の実施の形態に係るケーブル固定具を用いた固定方法について説明する図（その７）である。
【発明を実施するための形態】
【００１０】
［第１の実施の形態］
図１及び図２は第１の実施の形態に係るケーブル固定具の第１の例について説明する図である。図１並びに図２（Ａ）及び図２（Ｂ）には、ケーブル固定具の一例の要部側面図を模式的に示している。
【００１１】
図１に示すように、電子装置１には、他の電子装置から電子装置１に電源を供給するための、又は電子装置１から他の電子装置に電源を供給するための、電源ケーブル２が接続される。電子装置１は、本体１ｂと、本体１ｂに設けられたコンセント１ａとを備える。電源ケーブル２は、電線が被覆された電線部２ｂと、電線部２ｂの一端（根元被覆部２ｃ）に設けられたコネクタ２ａとを備える。電源ケーブル２は、コネクタ２ａが、コンセント１ａに接近する方向Ｄ１に向かってコンセント１ａに差し込まれることで、電子装置１に接続される。電源ケーブル２は、コンセント１ａに差し込まれたコネクタ２ａが、コンセント１ａから離れる方向Ｄ２に向かってコンセント１ａから引き抜かれることで、電子装置１から取り外される。
【００１２】
電源ケーブル２が接続された電子装置１には、例えば、図１に示すようなケーブル固定具３Ａが設けられる。ケーブル固定具３Ａは、押さえ部材４と、押さえ部材４を支持する支持部材５とを備える。
【００１３】
押さえ部材４は、コンセント１ａ及びそれに差し込まれたコネクタ２ａに対向する板部４ａ（第１板部の一例）と、板部４ａから屈曲した板部４ｂ（第２板部の一例）とを有する。図１では、コンセント１ａ及びコネクタ２ａに対向する板部４ａの端から方向Ｄ２に向かって屈曲し、方向Ｄ２に延在された板部４ｂを例示している。押さえ部材４は、後述のように、コンセント１ａ及びコネクタ２ａに対向する板部４ａがコネクタ２ａに当接され、そのように当接された位置で板部４ａから屈曲した板部４ｂが固定されることで、コンセント１ａからのコネクタ２ａの抜けを抑制する役割を果たす。
【００１４】
押さえ部材４には、板部４ａがコネクタ２ａに当接され、そのように当接された位置で板部４ｂが固定された状態において、コンセント１ａからのコネクタ２ａの抜けを抑制することのできる、所定の剛性を有する各種材料が用いられる。例えば、押さえ部材４には、樹脂材料が用いられる。このほか、押さえ部材４には、金属材料、セラミック材料若しくは炭素材料、又は、炭素材料やガラス材料のファイバーやクロスと樹脂材料との複合材料が用いられてもよい。
【００１５】
押さえ部材４には、１種の材料が用いられてもよいし、２種以上の材料が用いられてもよい。例えば、押さえ部材４には、板部４ａと板部４ｂとに同じ種類の材料が用いられてもよいし、板部４ａと板部４ｂとに異なる種類の材料が用いられてもよい。押さえ部材４には、１種の材料が用いられた単層板や、１種又は２種以上の材料が用いられた積層板が用いられてもよい。また、押さえ部材４は、必ずしも全体が一定の厚みであることを要しない。例えば、押さえ部材４は、板部４ａと板部４ｂとが同じ厚みを有していてもよいし、板部４ａと板部４ｂとが異なる厚みを有していてもよい。押さえ部材４或いはその板部４ａ及び板部４ｂの材料の種類及び厚みによって、押さえ部材４或いはその板部４ａ及び板部４ｂの剛性が調整されてもよい。
【００１６】
支持部材５は、電子装置１のコンセント１ａに対して固定された位置に設けられ、押さえ部材４を支持する。支持部材５は、押さえ部材４の板部４ｂをその両面側から挟む支持具６及び支持具７を含む。支持具６は、押さえ部材４の板部４ｂの一方の面４ｂａに対向する板部６ｂ（第３板部の一例）を有する。支持具７は、押さえ部材４の板部４ｂの他方の面４ｂｂに対向する板部７ｂ（第５板部の一例）を有する。支持具６の板部６ｂと支持具７の板部７ｂとの間に、押さえ部材４の板部４ｂが挟まれる。
【００１７】
支持部材５は、支持具６の板部６ｂと支持具７の板部７ｂとの間に、押さえ部材４の板部４ｂを挟んだ状態で、押さえ部材４の板部４ｂを固定することができるようになっている。例えば、押さえ部材４の板部４ｂを挟んで支持具６の板部６ｂと支持具７の板部７ｂとがネジ止め等によって固定されることで、挟まれた板部４ｂが固定され、押さえ部材４が固定される。押さえ部材４は、板部４ｂの固定前には、その板部４ｂが、支持具６の板部６ｂ若しくは支持具７の板部７ｂに沿って、又はそれらの間に挟まれた状態でそれらに沿って、方向Ｄ１，Ｄ２（押さえ部材４の板部４ａとコネクタ２ａ及びコンセント１ａとの対向方向）に摺動することができるようになっている。
【００１８】
支持具６及び支持具７には、押さえ部材４を支持することのできる、所定の剛性を有する各種材料が用いられる。例えば、支持具６及び支持具７には、金属材料が用いられる。このほか、支持具６及び支持具７には、金属材料、セラミック材料若しくは炭素材料、又は、炭素材料やガラス材料のファイバーやクロスと樹脂材料との複合材料が用いられてもよい。
【００１９】
支持具６及び支持具７にはそれぞれ、１種の材料が用いられてもよいし、２種以上の材料が用いられてもよい。例えば、支持具６には、１種の材料が用いられた単層板や、１種又は２種以上の材料が用いられた積層板が用いられてもよく、また、支持具７には、１種の材料が用いられた単層板や、１種又は２種以上の材料が用いられた積層板が用いられてもよい。支持具６及び支持具７の材料の種類及び厚みによって、支持具６及び支持具７の剛性が調整されてもよい。また、支持具６若しくは支持具７又はそれらの両方の材料の種類（少なくともそれらの表面の材料）によって、押さえ部材４の板部４ｂがそれに面する板部６ｂ若しくは板部７ｂ又はそれらの両方に沿って摺動される際の摩擦力が調整されてもよい。
【００２０】
ケーブル固定具３Ａでは、押さえ部材４の板部４ｂが、支持具６の板部６ｂ若しくは支持具７の板部７ｂ又はそれらの両方に沿って、方向Ｄ１，Ｄ２に摺動されることで、コネクタ２ａに対向する押さえ部材４の板部４ａの位置が変化する。これにより、コネクタ２ａと押さえ部材４の板部４ａとの距離が変化する。図１には、このような板部４ｂの摺動による押さえ部材４の変位を太矢印で表している。ここで、図１には、或る位置の押さえ部材４（実線で表したもの）が、方向Ｄ１に摺動された時の一状態を鎖線Ｐ１で、方向Ｄ２に摺動された時の一状態を点線Ｐ２で、それぞれ図示している。例えば、押さえ部材４は、その板部４ａが電源ケーブル２のコネクタ２ａ（電線部２ｂ又はその根元被覆部２ｃとの段差）に当接するように、板部４ｂが摺動され、その当接された位置（鎖線Ｐ１の状態）で、板部４ｂがそれを挟む支持具６の板部６ｂ及び支持具７の板部７ｂによって固定される。
【００２１】
ケーブル固定具３Ａでは、支持部材５の支持具６の板部６ｂ及び支持具７の板部７ｂが、電子装置１のコンセント１ａに対して固定された位置に設けられる。押さえ部材４の板部４ｂが、このような支持部材５を摺動され、固定されることで、押さえ部材４の板部４ａが、電源ケーブル２のコネクタ２ａに当接する位置に固定される。コネクタ２ａは、それに当接して固定された押さえ部材４の板部４ａによって方向Ｄ１に押さえられ、方向Ｄ２への移動が規制されることで、コンセント１ａからの抜けが抑制される。これにより、コネクタ２ａがコンセント１ａから抜けてしまうことによる停電が抑制される。
【００２２】
上記のように、ケーブル固定具３Ａは、支持具６及び支持具７を用いて押さえ部材４が変位されて固定される機構を有する。そのため、図２（Ａ）及び図２（Ｂ）に示すように、コンセント１ａに差し込まれるコネクタ２ａの寸法Ｌ１，Ｌ２（方向Ｄ１，Ｄ２の寸法）が変わっても、その寸法Ｌ１，Ｌ２に合わせて押さえ部材４の位置を調整し、その板部４ａをコネクタ２ａに当接させることができる。これにより、押さえ部材４で寸法Ｌ１や寸法Ｌ２のコネクタ２ａを押さえ、いずれのコネクタ２ａについてもそのコンセント１ａからの抜けを抑制することができる。ケーブル固定具３Ａによれば、コンセント１ａに差し込まれる各種寸法のコネクタ２ａをコンセント１ａ側に押さえ、コネクタ２ａのコンセント１ａからの抜け、及びそれによる停電を抑制することができる。
【００２３】
図３は第１の実施の形態に係るケーブル固定具の第２の例について説明する図である。図３には、ケーブル固定具の一例の要部側面図を模式的に示している。
電源ケーブル２が接続された電子装置１には、例えば、図３に示すようなケーブル固定具３Ｂが設けられてもよい。図３に示すケーブル固定具３Ｂは、コンセント１ａ及びそれに差し込まれたコネクタ２ａに対向する板部４ａの端から方向Ｄ１に向かって屈曲して方向Ｄ１に延在された板部４ｂを有する押さえ部材４を備える。このような押さえ部材４の、方向Ｄ１に延在された板部４ｂが、コンセント１ａに対して固定された位置に設けられる支持部材５の、支持具６の板部６ｂ及び支持具７の板部７ｂで挟まれる。押さえ部材４は、その板部４ｂが、支持具６の板部６ｂ若しくは支持具７の板部７ｂに沿って、又はそれらの間に挟まれた状態でそれらに沿って摺動され、所定の位置に固定される。
【００２４】
ケーブル固定具３Ｂでは、押さえ部材４の板部４ｂが、支持具６の板部６ｂ若しくは支持具７の板部７ｂ又はそれらの両方に沿って、方向Ｄ１，Ｄ２に摺動されることで、図３に太矢印で表すように、押さえ部材４の板部４ａが変位する。ここで、図３には、或る位置の押さえ部材４（実線で表したもの）が、方向Ｄ１に摺動された時の一状態を鎖線Ｐ１で、方向Ｄ２に摺動された時の一状態を点線Ｐ２で、それぞれ図示している。例えば、押さえ部材４は、その板部４ａが電源ケーブル２のコネクタ２ａ（電線部２ｂ又はその根元被覆部２ｃとの段差）に当接するように、板部４ｂが摺動され、その当接された位置（鎖線Ｐ１の状態）で、板部４ｂがそれを挟む支持具６の板部６ｂ及び支持具７の板部７ｂによって固定される。
【００２５】
ケーブル固定具３Ｂでは、支持部材５の支持具６の板部６ｂ及び支持具７の板部７ｂが、電子装置１のコンセント１ａに対して固定された位置に設けられる。押さえ部材４の板部４ｂが、このような支持部材５を摺動され、固定されることで、押さえ部材４の板部４ａが、電源ケーブル２のコネクタ２ａに当接する位置に固定される。コネクタ２ａは、それに当接して固定された押さえ部材４の板部４ａによって方向Ｄ１に押さえられ、方向Ｄ２への移動が規制されることで、コンセント１ａからの抜けが抑制される。これにより、コネクタ２ａがコンセント１ａから抜けてしまうことによる停電が抑制される。
【００２６】
上記ケーブル固定具３Ａ（図１並びに図２（Ａ）及び図２（Ｂ））と同様に、ケーブル固定具３Ｂ（図３）は、支持具６及び支持具７を用いて押さえ部材４が変位されて固定される機構を有する。そのため、コンセント１ａに差し込まれるコネクタ２ａの寸法（方向Ｄ１，Ｄ２の寸法）が変わっても、その寸法に合わせて押さえ部材４の位置を調整し、そのコネクタ２ａのコンセント１ａからの抜けを抑制することができる。ケーブル固定具３Ｂによっても、コンセント１ａに差し込まれる各種寸法のコネクタ２ａをコンセント１ａ側に押さえ、コネクタ２ａのコンセント１ａからの抜け、及びそれによる停電を抑制することができる。
【００２７】
尚、第１の実施の形態の説明では、電子装置１のコンセント１ａに接続される電源ケーブル２のコネクタ２ａに対してケーブル固定具３Ａ又はケーブル固定具３Ｂを適用する例を示した。このほか、ケーブル固定具３Ａ及びケーブル固定具３Ｂは、電源ケーブル２のコネクタ２ａに限らず、各種電子装置のコンセントに接続される各種ケーブルのコネクタに対して適用することが可能である。
【００２８】
［第２の実施の形態］
一例として、データセンター等においてラックに搭載されて使用される電子装置と電源ケーブルとの接続、及びその電源ケーブルの抜けを抑制するケーブル固定具について説明する。
【００２９】
はじめに、ラックに搭載される電子装置と電源ケーブルとの接続及びケーブル固定具の一例（比較例）について、図４〜図７を参照して説明する。
図４はラックに搭載された電子装置とそれに接続された電源ケーブル及びケーブル固定具の一例を示す図である。図４には、電子装置とそれに接続された電源ケーブル及びケーブル固定具の一例の要部斜視図を模式的に示している。
【００３０】
ここでは電子装置として、ＰＤＵ（Power Distribution Unit）を例にする。例えば、図４に示すように、ＰＤＵ１００は、ラック２００のフレーム２１０の所定箇所に、ネジ止めによって固定され、搭載される。ＰＤＵ１００は、これに電源を供給するための主電源ケーブル３００を備える。ＰＤＵ１００は、複数のコンセントを備える。図４には一例として、４つのコンセントが並設（連設）されたいわゆる４連コンセントのブロック１１０が２つ（合計でコンセントが８つ）設けられたＰＤＵ１００を図示している。図４に示すＰＤＵ１００には、４連コンセントの１つのブロック１１０につき４本（２つのブロック１１０の合計で８本）の電源ケーブル３１０が接続される。
【００３１】
各電源ケーブル３１０は、その一端に設けられるコネクタが、ＰＤＵ１００の各コンセントに差し込まれ、ＰＤＵ１００と接続される。電源ケーブル３１０の他端は、ラック２００に搭載される他の電子装置（図示せず）と接続される。主電源ケーブル３００からＰＤＵ１００に電源が供給され、ＰＤＵ１００から各電源ケーブル３１０を通じて他の電子装置に電源が分配、供給される。図４の例では、４連コンセントのブロック１１０ごとに、ＰＤＵ１００のコンセントに差し込まれた電源ケーブル３１０のコネクタの抜けを抑制するためのケーブル固定具４００が設けられる。
【００３２】
図５はコンセントの一例を示す図、図６はコネクタの一例を示す図である。図５（Ａ）には、コンセントの一例の要部側面図を模式的に示している。図５（Ｂ）には、コンセントの一例の、コネクタが差し込まれる側から見た要部正面図を模式的に示している。図６（Ａ）には、コネクタの一例の要部側面図を模式的に示している。図６（Ｂ）には、コネクタの一例の、コンセントに差し込む側から見た要部正面図を模式的に示している。
【００３３】
ＰＤＵ１００には、例えば、図５（Ａ）及び図５（Ｂ）に示すようなコンセント１１１が設けられる。コンセント１１１は、図５（Ｂ）に示すように、凹部１１１ａと、凹部１１１ａ内に設けられた３つの端子１１１ｂとを有する。このようなコンセント１１１が、４つ並設されて、上記のようなＰＤＵ１００のブロック１１０に設けられる。
【００３４】
電源ケーブル３１０の電線部３１２の一端（根元被覆部３１２ｃ）には、例えば、図６（Ａ）及び図６（Ｂ）に示すようなコネクタ３１１が設けられる。コネクタ３１１は、図６（Ａ）及び図６（Ｂ）に示すように、コンセント１１１の凹部１１１ａに挿入される挿入部３１１ａを有する。コネクタ３１１は、図６（Ｂ）に示すように、挿入部３１１ａ内に設けられ、コンセント１１１の３つの端子１１１ｂとそれぞれ接続される３つの端子３１１ｂを有する。このようなコネクタ３１１が、上記のようなＰＤＵ１００のブロック１１０の、４つ並設されたコンセント１１１に、それぞれ差し込まれる。
【００３５】
例えば、コンセント１１１側の３つの端子１１１ｂがオス端子とされ、コネクタ３１１側の３つの端子３１１ｂがメス端子とされる。尚、コンセント１１１側の３つの端子１１１ｂがメス端子とされ、コネクタ３１１側の３つの端子３１１ｂがオス端子とされてもよい。
【００３６】
図７はケーブル固定具の一例を示す図である。図７（Ａ）及び図７（Ｂ）にはそれぞれ、ケーブル固定具の一例の要部側面図を模式的に示している。
ケーブル固定具４００は、例えば、図７（Ａ）に示すように、ＰＤＵ１００のコンセント１１１とそれに差し込まれた電源ケーブル３１０のコネクタ３１１とに対向する板部４１１と、板部４１１からＰＤＵ１００側に屈曲した板部４１２及び板部４１３とを有する。ケーブル固定具４００は、ラック２００のフレーム２１０、又はそれに搭載されたＰＤＵ１００に接続され、固定される。コンセント１１１及びコネクタ３１１に対向する板部４１１に設けられる開口部４１４（図４）を通して、電源ケーブル３１０の電線部３１２が引き出される。図７（Ａ）の例では、ケーブル固定具４００の板部４１１が、コンセント１１１に差し込まれたコネクタ３１１（電線部３１２又はその根元被覆部３１２ｃとの段差）に対向するように位置されることで、コネクタ３１１のコンセント１１１からの抜けが抑制される。これにより、ＰＤＵ１００から電源ケーブル３１０を通じて電源の供給を受ける電子装置の停電が抑制される。
【００３７】
上記図７（Ａ）に示したようなケーブル固定具４００では、コンセント１１１に対して板部４１１の位置が固定される。そのため、ケーブル固定具４００は、コンセント１１１に差し込んだ時にコンセント１１１と板部４１１との間に収まる寸法のコネクタ３１１を有する電源ケーブル３１０が用いられる場合、コネクタ３１１のコンセント１１１からの抜けを有効に抑制し得る。しかし、ＰＤＵ１００に接続可能な電源ケーブル３１０には、コネクタ３１１の寸法、例えば、上記図６（Ａ）に示したような寸法Ｌを、様々な値にしたものが存在する。
【００３８】
ここで、上記図４に示したような４連コンセントの１つのブロック１１０につき、上記図４及び図７（Ａ）に示したようなケーブル固定具４００を１つ用いる場合について考える。この場合、１つのブロック１１０の４連のコンセント１１１には、コンセント１１１に差し込んだ時にコンセント１１１と板部４１１との間に収まる同じ寸法のコネクタ３１１を用いることを要してしまう。そのため、ＰＤＵ１００に接続する電源ケーブル３１０の種類が、同じ寸法のコネクタ３１１を有するものに限定されてしまう。
【００３９】
コンセント１１１及びそれに差し込まれるコネクタ３１１の各組についてそれぞれ、コネクタ３１１の寸法に合わせたケーブル固定具４００を設けることも、技術的には可能である。しかし、この場合には、例えば、図７（Ｂ）に示すように、コンセント１１１に差し込むコネクタ３１１毎に、その寸法に合わせたケーブル固定具４００を別途準備することを要してしまう。更に、コンセント１１１に差し込むコネクタ３１１毎に、準備したそのケーブル固定具４００の取り付け作業を行うことを要してしまう。
【００４０】
また、別の手法として、ＰＤＵのコンセント付近にケーブルクランプを設け、コンセントに差し込まれた電源ケーブルのコネクタを、ケーブルクランプによって固定することも考えられる。しかし、このような手法では、コンセント付近にケーブルクランプの設置領域を確保することを要し、複数のコンセント同士を狭いピッチで並設させることが難しくなる。各コンセント付近にケーブルクランプの設置領域を確保して複数のコンセントを並設させると、コンセント間のピッチが広がるため、ＰＤＵに設けることのできるコンセントの数が減少してしまう。即ち、ＰＤＵに接続してＰＤＵから電源を供給することのできる電子装置の数が減少してしまう。また、各コンセント付近にケーブルクランプの設置領域を確保してコンセント間のピッチを広げつつ、コンセントの数を確保するために、ＰＤＵを大型化すると、ＰＤＵと共にラックに搭載することのできる電子装置の数が減少してしまう。
【００４１】
上記のような点に鑑み、第２の実施の形態では、ケーブル固定具として、次の図８〜図１０に示すような構成を有するものを採用する。
図８〜図１０は第２の実施の形態に係るケーブル固定具の一例について説明する図である。図８には、ケーブル固定具の一例の要部側面図を模式的に示している。図９には、ケーブル固定具の一例の要部上面図を模式的に示している。図１０には、ケーブル固定具の一例の要部正面図を模式的に示している。
【００４２】
図８〜１０に示すように、ＰＤＵ１０（電子装置）には、他の電子装置に電源を供給するための電源ケーブル２０が接続される。ＰＤＵ１０は、その本体１２に設けられたコンセント１１、ここでは一例として４連のコンセント１１（図９及び図１０）を備える。各コンセント１１に、電源ケーブル２０が接続される。ＰＤＵ１０のコンセント１１には、上記図５に例示したような構成を有するものを採用することができる。
【００４３】
電源ケーブル２０は、電線部２２の一端（根元被覆部２２ｃ）に設けられたコネクタ２１を備える。電源ケーブル２０のコネクタ２１には、上記図６に例示したような構成を有するものを採用することができる。電源ケーブル２０は、コネクタ２１が、コンセント１１に接近する方向Ｄ１に向かってコンセント１１に差し込まれることで、ＰＤＵ１０に接続される。電源ケーブル２０は、コンセント１１に差し込まれたコネクタ２１が、コンセント１１から離れる方向Ｄ２に向かってコンセント１１から引き抜かれることで、ＰＤＵ１０から取り外される。
【００４４】
電源ケーブル２０が接続されたＰＤＵ１０に、図８〜図１０に示すようなケーブル固定具３０が設けられる。ケーブル固定具３０は、押さえ４０（押さえ部材）と、押さえ４０を支持する支持金具５０（支持部材）とを備える。
【００４５】
押さえ４０は、ＰＤＵ１０の４つのコンセント１１及びそれらに差し込まれる４つの電源ケーブル２０のコネクタ２１の各組についてそれぞれ設けられる（図９及び図１０）。押さえ４０は、コンセント１１及びそれに差し込まれたコネクタ２１に対向する板部４１（第１，第７板部の一例）と、板部４１から屈曲した板部４２（第２，第８板部の一例）とを有する。板部４２には、板部４１から屈曲して方向Ｄ２に延在された部位４２ａと、その部位４２ａの方向Ｄ２端から更に屈曲してコンセント１１及びコネクタ２１に対向する部位４２ｂとが含まれる。押さえ４０には、樹脂材料が用いられる。押さえ４０の、板部４２の所定の領域の表面には、それが屈曲される方向（屈曲方向）と直交する方向に延在される複数の切り欠き部４２ｃ（凹部）が設けられる。押さえ４０の板部４２上には、所定の高さで突出するつまみ４３が設けられる。押さえ４０の板部４１及び板部４２には、コネクタ２１に繋がる電線部２２を通すための開口部４４（図１０）が設けられる。
【００４６】
支持金具５０は、押さえ４０の板部４２をその両面側から挟む固定金具６０（支持具）及び押さえ金具７０（支持具）を含む。固定金具６０及び押さえ金具７０はそれぞれ、複数の押さえ４０に対して１つ設けられ、一対の固定金具６０及び押さえ金具７０に複数の押さえ４０の板部４２が挟まれる（図９及び図１０）。押さえ４０は、その板部４２を固定金具６０及び押さえ金具７０で挟む支持金具５０によって支持される。
【００４７】
固定金具６０は、押さえ４０の板部４２の一方の面４０ａに対向する板部６２（第３板部の一例）と、板部６２の方向Ｄ２端で屈曲してコンセント１１及びコネクタ２１に対向する板部６１（第４板部の一例）と、板部６１の下方端で屈曲して方向Ｄ１に延在される板部６３とを有する。固定金具６０の板部６２及び板部６１には、コネクタ２１に繋がる電線部２２を通すための開口部６４（図１０）が設けられる。固定金具６０には、例えば、金属材料が用いられる。固定金具６０は、ＰＤＵ１０が搭載されるラック、又はＰＤＵ１０に固定される。
【００４８】
押さえ金具７０は、押さえ４０の板部４２の他方の面（面４０ａと反対側の面）４０ｂに対向する板部７２（第５板部の一例）と、板部７２の方向Ｄ２端で屈曲してコンセント１１及びコネクタ２１（並びに固定金具６０の板部６１）に対向する板部７１（第６板部の一例）とを有する。押さえ金具７０の板部７２には、押さえ４０の板部４２上に設けられたつまみ４３に対応する位置に、つまみ４３を方向Ｄ１，Ｄ２に変位させることのできる開口サイズの開口部７３（図９）が設けられる。つまみ４３は、例えば、開口部７３を貫通して板部７２の表面から突出するような高さで設けられる。押さえ金具７０の板部７１には、コネクタ２１に繋がる電線部２２を通すための開口部７４（図１０）が設けられる。押さえ金具７０には、金属材料が用いられる。押さえ金具７０は、ネジ止めによって固定金具６０に固定される。
【００４９】
押さえ４０は、その板部４２が、固定金具６０の板部６２と押さえ金具７０の板部７２との間に挟まれる。押さえ４０の板部４２は、押さえ金具７０がネジ止めによって固定金具６０に固定されることで、それらの板部７２と板部６２との間に挟まれて固定される。押さえ４０は、押さえ金具７０の固定金具６０へのネジ止めによる固定前は、板部４２が固定金具６０の板部６２に沿って、又は仮止めされた固定金具６０の板部６２と押さえ金具７０の板部７２とに沿って、方向Ｄ１，Ｄ２（押さえ４０の板部４１とコネクタ２１との対向方向）に摺動可能とされる。押さえ４０の板部４１は、コンセント１１に差し込まれたコネクタ２１（電線部２２又はその根元被覆部２２ｃとの段差）に当接される。押さえ４０の板部４１がコネクタ２１に当接された状態で、押さえ金具７０が固定金具６０にネジ止めによって固定されることで、それらに挟まれる板部４２が固定され、押さえ４０の位置が固定される。
【００５０】
押さえ４０は、コンセント１１に差し込まれるコネクタ２１の寸法Ｌ３に合わせて、例えば板部４２が摺動され、板部４１がコネクタ２１に当接する位置に調整され、固定される。ここでは図９のように、各コンセント１１に、鎖線で表した寸法Ｌ３のコネクタ２１を有する電源ケーブル２０、それに対して大きな寸法のコネクタ２１を有する電源ケーブル２０、小さな寸法のコネクタ２１を有する電源ケーブル２０が接続されたものを例示している。ケーブル固定具３０では、押さえ４０の調整により、各種寸法のコネクタ２１の固定に対応することが可能になっている（図９及び図１０）。
【００５１】
ケーブル固定具３０について更に説明する。
まず、ケーブル固定具３０の押さえ４０について述べる。
図１１及び図１２は第２の実施の形態に係るケーブル固定具の押さえの一例について説明する図である。図１１（Ａ）には、押さえの一例の側面図を模式的に示し、図１１（Ｂ）には、押さえの一例の上面図を模式的に示し、図１１（Ｃ）には、押さえの一例の正面図を模式的に示している。図１２（Ａ）には、屈曲前の押さえの一例の側面図を模式的に示し、図１２（Ｂ）及び図１２（Ｃ）にはそれぞれ、屈曲された押さえの一例の側面図を模式的に示している。
【００５２】
ケーブル固定具３０の押さえ４０は、硬化した状態で所定の剛性を有する樹脂材料を用いて形成される。押さえ４０は、図１１（Ａ）〜図１１（Ｃ）に示すように、板部４１と、板部４１から屈曲した板部４２とを有する。板部４１が、上記ＰＤＵ１０のコンセント１１及びそれに差し込まれた上記電源ケーブル２０のコネクタ２１に対向される。板部４１及び板部４２には、コネクタ２１に繋がる電線部２２を通すための開口部４４（図１１（Ｃ））が設けられる。板部４２は、板部４１から屈曲した部位４２ａと、その部位４２ａから更に屈曲した部位４２ｂとを含む。板部４２には、屈曲方向と直交する方向に延在される複数の切り欠き部４２ｃが設けられる。板部４２は、複数の切り欠き部４２ｃのうちの、いずれかの箇所の切り欠き部４２ｃに沿って屈曲され、屈曲された一方の側が部位４２ａとなり、屈曲された他方の側が部位４２ｂとなる。板部４２（その部位４２ａ）上には、つまみ４３が設けられる。つまみ４３は、板部４２の、切り欠き部４２ｃに沿って屈曲される箇所の調整に用いられる。
【００５３】
切り欠き部４２ｃに沿って屈曲される前、押さえ４０は、例えば、図１２（Ａ）に示すように、側面視で、板部４１とそこから屈曲する板部４２とで形成されるＬ字状とされる。板部４２は、切り欠き部４２ｃに沿って所定の箇所で屈曲されることで、例えば、図１２（Ｂ）又は図１２（Ｃ）に示すように、側面視で、板部４１と板部４２の部位４２ａ及び部位４２ｂとで形成されるＵ字状（又はコ字状）とされる。板部４２は、切り欠き部４２ｃに沿って屈曲される箇所が調整されることで、当該箇所から板部４１までの距離、即ち部位４２ａの長さが調整されるようになっている。例えば、図１２（Ａ）に示すような状態から、比較的板部４１に近い切り欠き部４２ｃの箇所で板部４２が屈曲されると、図１２（Ｂ）に示すような、当該箇所から板部４１までの距離（部位４２ａの長さ）が比較的短い押さえ４０が得られる。また、図１２（Ａ）に示すような状態から、比較的板部４１から遠い切り欠き部４２ｃの箇所で板部４２が屈曲されると、図１２（Ｃ）に示すような、当該箇所から板部４１までの距離（部位４２ａの長さ）が比較的長い押さえ４０が得られる。押さえ４０は、板部４２の屈曲される箇所が調整可能とされていることで、各種寸法のコネクタ２１への板部４１の当接が可能になっている。
【００５４】
続いて、ケーブル固定具３０の固定金具６０について述べる。
図１３は第２の実施の形態に係るケーブル固定具の固定金具の一例について説明する図である。図１３（Ａ）には、固定金具の一例の側面図を模式的に示し、図１３（Ｂ）には、固定金具の一例の上面図を模式的に示し、図１３（Ｃ）には、固定金具の一例の正面図を模式的に示している。
【００５５】
ケーブル固定具３０の固定金具６０は、所定の剛性を有する金属材料を用いて形成される。固定金具６０は、図１３（Ａ）〜図１３（Ｃ）に示すように、板部６２と、板部６２から屈曲した板部６１と、板部６１から更に屈曲した板部６３とを有する。板部６２が、上記押さえ４０の板部４２の面４０ａに対向され、板部６１が、上記ＰＤＵ１０のコンセント１１及びそれに差し込まれた上記電源ケーブル２０のコネクタ２１に対向される。板部６２及び板部６１には、コネクタ２１に繋がる電線部２２を通すための開口部６４（この例では４連のコンセント１１に対応した４つ。図１３（Ｂ）及び図１３（Ｃ））が設けられる。板部６１には、固定金具６０に押さえ金具７０をネジ止めによって固定するためのネジ穴６５（この例では２つ。図１３（Ｃ））が設けられる。尚、図１３（Ａ）及び図１３（Ｂ）には、ネジ穴６５が設けられる位置のみを鎖線で図示している。
【００５６】
続いて、ケーブル固定具３０の押さえ金具７０について述べる。
図１４は第２の実施の形態に係るケーブル固定具の押さえ金具の一例について説明する図である。図１４（Ａ）には、押さえ金具の一例の側面図を模式的に示し、図１４（Ｂ）には、押さえ金具の一例の上面図を模式的に示し、図１４（Ｃ）には、押さえ金具の一例の正面図を模式的に示している。
【００５７】
ケーブル固定具３０の押さえ金具７０は、所定の剛性を有する金属材料を用いて形成される。押さえ金具７０は、図１４（Ａ）〜図１４（Ｃ）に示すように、板部７２と、板部７２から屈曲した板部７１とを有する。板部７２が、上記押さえ４０の板部４２の面４０ｂに対向され、板部７１が、上記ＰＤＵ１０のコンセント１１及びそれに差し込まれた上記電源ケーブル２０のコネクタ２１に対向される。板部７２には、押さえ４０の板部４２上に設けられたつまみ４３に対応する位置に開口部７３（この例では４連のコンセント１１に対応した４つ。図１４（Ｂ））が設けられる。板部７１には、コネクタ２１に繋がる電線部２２を通すための開口部７４（この例では４連のコンセント１１に対応した４つ。図１４（Ｃ））が設けられる。板部７１には、固定金具６０のネジ穴６５に対応する位置に、固定金具６０に押さえ金具７０をネジ止めによって固定するためのネジ穴７５（この例では２つ。図１４（Ｃ））が設けられる。尚、図１４（Ａ）及び図１４（Ｂ）には、ネジ穴７５が設けられる位置のみを鎖線で図示している。板部７１には更に、固定金具６０と押さえ金具７０との間に挟まれる押さえ４０の厚みに相当する厚みのスペーサ７６が設けられてもよい。
【００５８】
上記図８〜図１４に示したような構成を有するケーブル固定具３０では、固定された位置に設けられる固定金具６０上に、押さえ４０が設けられ、その押さえ４０を挟んで押さえ金具７０が固定金具６０にネジ止めされる。押さえ４０は、コンセント１１に差し込まれるコネクタ２１の寸法に合わせて、板部４２の屈曲される位置（切り欠き部４２ｃの箇所）が調整され、板部４１がコネクタ２１に当接される。板部４２の屈曲される位置の調整、及び板部４１のコネクタ２１への当接は、ＰＤＵ１０の各コンセント１１に差し込まれるコネクタ２１について、それぞれの寸法に合わせて、行われる。ケーブル固定具３０では、ＰＤＵ１０の各コンセント１１に差し込まれるコネクタ２１の寸法が異なっていても、各コネクタ２１をそれぞれ、当接される押さえ４０の板部４１によってコンセント１１側に押さえることができる。ケーブル固定具３０によれば、コンセント１１に差し込まれる各種寸法のコネクタ２１をコンセント１１側に押さえて、コネクタ２１のコンセント１１からの抜けを抑制することができる。
【００５９】
次に、ＰＤＵ１０に接続される電源ケーブル２０を、上記のようなケーブル固定具３０を用いて固定する方法について、図１５〜図２１を参照して説明する。
図１５〜図２１は第２の実施の形態に係るケーブル固定具を用いた固定方法について説明する図である。
【００６０】
図１５は固定金具が設けられたＰＤＵの一例を示す図であって、図１５（Ａ）は側面図、図１５（Ｂ）は上面図、図１５（Ｃ）は正面図である。図１６はＰＤＵに設けられる固定金具の一例を示す図であって、図１６（Ａ）は側面図、図１６（Ｂ）は上面図、図１５（Ｃ）は正面図である。
【００６１】
例えば、図１５（Ａ）〜図１５（Ｃ）に示すように、本体１２に繋がる主電源ケーブル１３を備えたＰＤＵ１０が、ラック８０のフレーム８１にネジ止めによって取り付けられ、搭載される。ここでは一例として、４つのコンセント１１が並設された４連コンセントのブロックが２箇所（ブロック１４，１５）に設けられたＰＤＵ１０を図示している。例えば、ラック８０には、１９インチラックが用いられ、その単位規格高さである１Ｕ（４４．４５ｍｍ）の高さのＰＤＵ１０が搭載される。
【００６２】
例えば、ＰＤＵ１０が搭載されるラック８０のフレーム８１に、固定金具６０が取り付けられる。固定金具６０には、ＰＤＵ１０のコンセント１１の各ブロック１４，１５について上記図１３（Ａ）〜図１３（Ｃ）で述べたような構成を有する、図１６（Ａ）〜図１６（Ｃ）に示すようなものが用いられる。図１６（Ａ）〜図１６（Ｃ）に示す固定金具６０は、各ブロック１４，１５に対応して、板部６２と、そこから屈曲した板部６１と、そこから更に屈曲した板部６３と、電源ケーブル２０を通す開口部６４と、押さえ金具７０を固定するネジ穴６５とを有する。固定金具６０は、側方に張り出すように設けられた、ネジ穴６６ａを有する張り出し部６６で、ＰＤＵ１０と共にラック８０のフレーム８１にネジ止めされる。
【００６３】
図１６（Ａ）〜図１６（Ｃ）に示すような固定金具６０が準備され、準備された固定金具６０が、ＰＤＵ１０と共にラック８０のフレーム８１に固定されることで、図１５（Ａ）〜図１５（Ｃ）に示すような状態が得られる。
【００６４】
このほか、固定金具６０は、ＰＤＵ１０の一部として、予めＰＤＵ１０と一体に作り込まれていてもよい。このように予め固定金具６０が一体に作り込まれたＰＤＵ１０がラック８０に搭載されることで、図１５（Ａ）〜図１５（Ｃ）に示したのと同様の状態が得られてもよい。
【００６５】
図１７はＰＤＵに電源ケーブルが接続された状態の一例を示す図であって、図１７（Ａ）は側面図、図１７（Ｂ）は上面図、図１７（Ｃ）は正面図である。
図１７（Ａ）〜図１７（Ｃ）では、ＰＤＵ１０の上記２箇所のブロック１４，１５のうちの一方のブロック１４に着目している。また、図１７（Ａ）〜図１７（Ｃ）では、ラック８０のフレーム８１の図示は省略している。
【００６６】
固定金具６０が設けられたＰＤＵ１０の各コンセント１１に、図１７（Ａ）〜図１７（Ｃ）に示すように、電源ケーブル２０のコネクタ２１が差し込まれる。ここでは一例として、ＰＤＵ１０の一部のコンセント１１に、コネクタ２１の寸法の異なる電源ケーブル２０が接続された状態を図示している。即ち、この例では、図１７（Ｂ）に鎖線で示すように、ブロック１４の４つのコンセント１１のうち、両端のコンセント１１には同じ寸法のコネクタ２１を有する電源ケーブル２０が接続されている。ブロック１４の残り２つのコンセント１１のうち、一方には、他の電源ケーブル２０に比べて大きな寸法のコネクタ２１を有する電源ケーブル２０が接続され、他方には、他の電源ケーブル２０に比べて小さな寸法のコネクタ２１を有する電源ケーブル２０が接続される。
【００６７】
各コンセント１１にコネクタ２１が差し込まれる電源ケーブル２０の電線部２２は、固定金具６０に設けられた開口部６４を通されて引き出される。
図１８は押さえが設けられた状態の一例を示す図であって、図１８（Ａ）は側面図、図１８（Ｂ）は上面図、図１８（Ｃ）は正面図である。
【００６８】
図１８（Ａ）〜図１８（Ｃ）では、ＰＤＵ１０の上記２箇所のブロック１４，１５のうちの一方のブロック１４に着目している。また、図１８（Ａ）〜図１８（Ｃ）では、ラック８０のフレーム８１の図示は省略し、図１８（Ａ）では、固定金具６０の側板（図１７（Ａ））の図示を省略している。
【００６９】
固定金具６０が設けられ、コンセント１１に電源ケーブル２０のコネクタ２１が差し込まれたＰＤＵ１０の、その固定金具６０上に、図１８（Ａ）〜図１８（Ｃ）に示すように、各コネクタ２１に対応して、押さえ４０が設けられる。押さえ４０には、上記図１１（Ａ）〜図１１（Ｃ）及び図１２（Ａ）〜図１２（Ｃ）で述べたような構成を有するものが用いられる。押さえ４０は、板部４１と、板部４１から屈曲した板部４２と、板部４２に設けられた切り欠き部４２ｃ及びつまみ４３と、電源ケーブル２０を通す開口部４４とを有する。
【００７０】
固定金具６０上の押さえ４０は、コンセント１１に差し込まれたコネクタ２１の寸法に合わせて、板部４２の屈曲される位置（切り欠き部４２ｃの箇所）が調整され、板部４１がコネクタ２１（電線部２２の根元被覆部２２ｃとの段差）に当接される。板部４２の屈曲される位置の調整は、例えば、つまみ４３を用いて行われる。コンセント１１にコネクタ２１が差し込まれた電源ケーブル２０の電線部２２は、押さえ４０に設けられた開口部４４を通される。
【００７１】
押さえ４０（その板部４１）をコネクタ２１に当接させる方法の例の詳細は後述する（図２０及び図２１等）。
図１９は押さえ金具が設けられた状態の一例を示す図であって、図１９（Ａ）は側面図、図１９（Ｂ）は上面図、図１９（Ｃ）は正面図である。
【００７２】
図１９（Ａ）〜図１９（Ｃ）では、ＰＤＵ１０の上記２箇所のブロック１４，１５のうちの一方のブロック１４に着目している。また、図１９（Ａ）〜図１９（Ｃ）では、ラック８０のフレーム８１の図示は省略し、図１９（Ａ）では、固定金具６０の側板（図１７（Ａ））の図示を省略している。
【００７３】
固定金具６０上に設けられた押さえ４０の上に、図１９（Ａ）〜図１９（Ｃ）に示すように、押さえ金具７０が設けられる。押さえ金具７０には、上記図１４（Ａ）〜図１４（Ｃ）で述べたような構成を有するものが用いられる。押さえ金具７０は、板部７２と、板部７２から屈曲した板部７１と、押さえ４０のつまみ４３に対応する開口部７３と、電源ケーブル２０を通す開口部７４と、押さえ金具７０を固定するネジ穴７５と、押さえ４０の厚み相当のスペーサ７６とを有する。但し、便宜上、図１９（Ａ）〜図１９（Ｃ）では、スペーサ７６の図示を省略している。
【００７４】
押さえ金具７０は、各コネクタ２１に対応して設けられた押さえ４０のつまみ４３が開口部７３から露出するように、固定金具６０上の押さえ４０の上に設けられる。押さえ金具７０は、そのネジ穴７５とそれに対応して設けられた固定金具６０のネジ穴６５とが用いられ、固定金具６０にネジ止めされる。押さえ金具７０に、押さえ４０の厚みと同じか又は同程度の厚みのスペーサ７６が設けられていると、押さえ４０を挟んで固定金具６０に押さえ金具７０をネジ止めする際の過剰なネジの締め付け、締め付け箇所による不均一な荷重の印加が抑制される。ネジ止めによって押さえ金具７０が固定金具６０に固定されることで、それらの間に挟まれる押さえ４０の位置が固定される。
【００７５】
押さえ４０の板部４１をコネクタ２１に当接させた状態で、ネジ止めによって押さえ金具７０が固定金具６０に固定されることで、押さえ４０でコネクタ２１をコンセント１１側に押さえるケーブル固定具３０が実現される。このケーブル固定具３０により、コネクタ２１のコンセント１１から抜ける方向への移動が、押さえ４０で規制され、コネクタ２１のコンセント１１からの抜けが抑制される。ネジ止めによる固定前に予め、各コンセント１１に差し込まれたコネクタ２１の寸法に合わせて、押さえ４０の板部４１をコネクタ２１に当接させておくことで、図１９（Ａ）〜図１９（Ｃ）に示すような各種寸法のコネクタ２１の抜けが、ケーブル固定具３０で抑制される。
【００７６】
ここで、押さえ４０（その板部４１）をコネクタ２１に当接させる方法の例について述べる。
図２０は押さえをコネクタに当接させる方法の第１の例について説明する図である。図２０（Ａ）には、固定金具上に押さえを設ける工程の一例の要部側面図を模式的に示している。図２０（Ｂ）には、コネクタに押さえを当接させる工程の一例の要部側面図を模式的に示している。図２０（Ｃ）には、固定金具に押さえ金具を固定する工程の一例の要部側面図を模式的に示している。
【００７７】
この第１の例では、まず、図２０（Ａ）に示すように、上記のように固定金具６０が設けられてコンセント１１に電源ケーブル２０のコネクタ２１が差し込まれたＰＤＵ１０を得た状態（図１７（Ａ））から、その固定金具６０上に、押さえ４０が設けられる。この時、固定金具６０上に設けられる押さえ４０の板部４１は、コネクタ２１に当接されていることを要しない。図２０（Ａ）には一例として、押さえ４０の板部４１が、コネクタ２１から離れて位置している状態を図示している。
【００７８】
固定金具６０上に押さえ４０が設けられた状態から、押さえ４０の位置が調整され、図２０（Ｂ）に示すように、その板部４１がコネクタ２１（電線部２２の根元被覆部２２ｃとの段差）に当接される。押さえ４０の位置の調整には、つまみ４３が用いられ、つまみ４３が押さえ４０とコンセント１１との対向方向に変位されることで、押さえ４０の板部４２が固定金具６０上を摺動される。押さえ４０は、板部４２が固定金具６０上を摺動される際、固定金具６０の板部６２と板部６１との屈曲部に対応する切り欠き部４２ｃの箇所で順次屈曲される。押さえ４０の板部４１は、板部４２の固定金具６０上の摺動に伴って変位する。例えば、図２０（Ａ）に示したような状態から、図２０（Ｂ）に示すように、押さえ４０の板部４２が、つまみ４３でコネクタ２１側に向かって固定金具６０上を摺動され、それに伴って板部４１がコネクタ２１側に変位されて、板部４１がコネクタ２１に当接される。このような板部４１の当接が、ＰＤＵ１０の各コンセント１１に差し込まれたコネクタ２１についてそれぞれ、各コネクタ２１の寸法に合わせて、行われる。
【００７９】
そして、押さえ４０の板部４１がコネクタ２１に当接された状態から、図２０（Ｃ）に示すように、固定金具６０上の押さえ４０の上に、つまみ４３を開口部７３（図１９等）から露出させて、押さえ金具７０が設けられる。押さえ金具７０は、ネジ止めによって固定金具６０に固定される。押さえ金具７０がネジ止めによって固定金具６０に固定されることで、押さえ４０は、その板部４１がコネクタ２１に当接された位置で、固定される。このようにして押さえ４０の位置が固定されることで、コネクタ２１は、板部４１が当接する押さえ４０でコンセント１１側に押さえられ、コンセント１１からの抜けが抑制される。
【００８０】
例えば、この第１の例に示すような方法（図２０（Ａ）〜図２０（Ｃ））が用いられ、押さえ４０の位置が調整され、その板部４１がコネクタ２１に当接される。
また、図２１は押さえをコネクタに当接させる方法の第２の例について説明する図である。図２１（Ａ）には、固定金具上に押さえを設ける工程の一例の要部側面図を模式的に示している。図２１（Ｂ）には、押さえ上に押さえ金具を設ける工程の一例の要部側面図を模式的に示している。図２１（Ｃ）には、コネクタに押さえを当接させる工程の一例の要部側面図を模式的に示している。
【００８１】
この第２の例では、まず、図２１（Ａ）に示すように、固定金具６０が設けられたＰＤＵ１０のコンセント１１に電源ケーブル２０のコネクタ２１が差し込まれた状態（図１７（Ａ））から、その固定金具６０上に、押さえ４０が設けられる。この時、固定金具６０上に設けられる押さえ４０の板部４１は、コネクタ２１に当接されていることを要しない。図２１（Ａ）には一例として、押さえ４０の板部４１が、コネクタ２１から離れて位置している状態を図示している。
【００８２】
固定金具６０上に押さえ４０が設けられた状態から、図２１（Ｂ）に示すように、固定金具６０上の押さえ４０の上に、つまみ４３が開口部７３（図１９等）から露出するように、押さえ金具７０が設けられる。この時、押さえ金具７０は、固定金具６０との間に挟まれる押さえ４０をつまみ４３で摺動させることができるように、押さえ４０上に設けられる。例えば、押さえ金具７０は、固定金具６０との間に押さえ４０が挟まれた状態で、ネジ等で固定金具６０に仮止めされる。或いは、押さえ金具７０は、押さえ４０上に乗せただけの状態で設けられてもよい。
【００８３】
固定金具６０上の押さえ４０の上に押さえ金具７０が設けられた状態から、押さえ４０の位置が調整され、図２１（Ｃ）に示すように、その板部４１がコネクタ２１（電線部２２の根元被覆部２２ｃとの段差）に当接される。押さえ４０の位置の調整には、つまみ４３が用いられ、つまみ４３が押さえ４０とコンセント１１との対向方向に変位されることで、押さえ４０の板部４２が固定金具６０と押さえ金具７０との間を摺動される。押さえ４０は、板部４２が固定金具６０と押さえ金具７０との間を摺動される際、固定金具６０の板部６２と板部６１との屈曲部、及び押さえ金具７０の板部７２と板部７１との屈曲部に対応する切り欠き部４２ｃの箇所で順次屈曲される。押さえ４０の板部４１は、板部４２の固定金具６０と押さえ金具７０との間の摺動に伴って変位する。例えば、図２１（Ｂ）に示したような状態から、図２１（Ｃ）に示すように、押さえ４０の板部４２が、つまみ４３でコネクタ２１側に向かって固定金具６０と押さえ金具７０との間を摺動される。それに伴い押さえ４０の板部４１がコネクタ２１側に変位されて、板部４１がコネクタ２１に当接される。このような板部４１の当接が、ＰＤＵ１０の各コンセント１１に差し込まれたコネクタ２１についてそれぞれ、各コネクタ２１の寸法に合わせて、行われる。
【００８４】
そして、押さえ４０の板部４１がコネクタ２１に当接された状態から、上記同様、押さえ金具７０がネジ止めによって固定金具６０に固定される。押さえ金具７０がネジ止めによって固定金具６０に固定されることで、押さえ４０は、その板部４１がコネクタ２１に当接された位置で、固定される。このようにして押さえ４０の位置が固定されることで、コネクタ２１は、板部４１が当接する押さえ４０でコンセント１１側に押さえられ、コンセント１１からの抜けが抑制される。
【００８５】
例えば、この第２の例に示すような方法（図２１（Ａ）〜図２１（Ｃ））が用いられ、押さえ４０の位置が調整され、その板部４１がコネクタ２１に当接される。
ここでは、押さえ４０が、押さえ金具７０の固定金具６０へのネジ止めによる固定前に、板部４２が固定金具６０の板部６２に沿って（第１の例）、又は仮止めされた固定金具６０の板部６２と押さえ金具７０の板部７２とに沿って（第２の例）、摺動される方法を例示した。このほか、切り欠き部４２ｃの箇所で屈曲された押さえ４０が、その屈曲形状を保持するようなものであれば、押さえ４０を、固定金具６０上に設ける前に予め、コネクタ２１の寸法に合わせ、それに板部４１が当接する切り欠き部４２ｃの箇所で屈曲させてもよい。このように予め屈曲させた押さえ４０を、固定金具６０上に設け、押さえ４０上に押さえ金具７０を設けてこれをネジ止めによって固定金具６０に固定することで、コネクタ２１が押さえ４０によってコンセント１１側に押さえられる構造を得ることもできる。
【００８６】
以上説明したように、第２の実施の形態に係るケーブル固定具３０によれば、押さえ４０が、ＰＤＵ１０のコンセント１１に差し込まれた電源ケーブル２０のコネクタ２１に板部４１を当接させた状態で、固定金具６０及び押さえ金具７０によって固定される。これにより、コネクタ２１が押さえ４０によってコンセント１１側に押さえられ、コネクタ２１のコンセント１１からの抜けが抑制される。コネクタ２１のコンセント１１からの抜けが抑制されることで、ＰＤＵ１０から電源ケーブル２０を通じて電源の供給を受ける他の電子装置の停電が抑制される。
【００８７】
また、ケーブル固定具３０では、コネクタ２１の寸法に合わせて押さえ４０の位置が調整可能であり、各種寸法のコネクタ２１に押さえ４０の板部４１が当接され、コネクタ２１のコンセント１１からの抜け、及びそれによる停電が抑制される。このようにケーブル固定具３０は、各種寸法のコネクタ２１に対応可能であるため、ＰＤＵ１０に使用される電源ケーブル２０の種類がコネクタ２１の寸法によって限定されることが回避される。また、コネクタ２１の寸法が異なる電源ケーブル２０が使用される場合でも、各電源ケーブル２０（そのコネクタ２１）用の固定具の準備、及び電源ケーブル２０（そのコネクタ２１）毎の固定具の取り付け作業が回避される。また、ケーブル固定具３０では、ＰＤＵ１０についてその複数のコンセント１１の配置を変更すること、例えばケーブルクランプを設ける場合のようにコンセント間ピッチを広げることを要しない。そのため、ＰＤＵ１０のコンセント１１の数の減少、接続可能な電子装置数の減少が回避され、或いは、ＰＤＵ１０の大型化、ラック８０に搭載可能な電子装置数の減少が回避される。ケーブル固定具３０では、複数のコンセント１１が狭いピッチで並設される場合でも、各々に差し込まれるコネクタ２１をその寸法に合わせて押さえ４０で押さえることができ、各種寸法のコネクタ２１のコンセント１１からの抜けを抑制することができる。
【００８８】
尚、第２の実施の形態の説明では、ＰＤＵ１０のコンセント１１に接続される電源ケーブル２０のコネクタ２１に対してケーブル固定具３０を適用する例を示した。このほか、ケーブル固定具３０は、ＰＤＵ１０に限らず、ＰＤＵ１０が電源の供給を受ける電子装置やその他の各種電子装置のコンセントに接続される電源ケーブル２０のコネクタ２１に対して適用することが可能である。また、ケーブル固定具３０は、電源ケーブル２０のコネクタ２１に限らず、各種電子装置のコンセントに接続される各種ケーブルのコネクタに対して適用することが可能である。
【００８９】
以上説明した実施の形態に関し、更に以下の付記を開示する。
（付記１）  第１コンセントと前記第１コンセントに差し込まれた第１ケーブルの第１コネクタとに対向する第１板部と、前記第１板部から、前記第１板部と前記第１コンセントとの対向方向の一方側に屈曲した第２板部とを有する第１押さえ部材と、
前記第１押さえ部材を支持し、前記第１板部が前記第１コネクタに当接する位置で前記第２板部を固定可能な支持部材と
を含むことを特徴とするケーブル固定具。
【００９０】
（付記２）  前記支持部材は、未固定の前記第２板部を、前記対向方向に摺動可能に支持することを特徴とする付記１に記載のケーブル固定具。
（付記３）  前記支持部材は、
前記第２板部の一方の面側に設けられた第１支持具と、
前記第２板部の他方の面側に設けられた第２支持具と
を含み、
前記第１押さえ部材は、前記第２板部が前記第１支持具と前記第２支持具とによって挟まれることを特徴とする付記１又は２に記載のケーブル固定具。
【００９１】
（付記４）  前記第１支持具は、前記対向方向のうち前記第１板部が前記第１コネクタから離れる第１方向に延在した第３板部と、前記第３板部の前記第１方向端で屈曲して前記第１板部に対向する第４板部とを有し、
前記第２支持具は、前記第１方向に延在した第５板部と、前記第５板部の前記第１方向端で屈曲して前記第１板部に対向する第６板部とを有し、
前記第２板部は、前記第１板部から前記第１方向に延在して前記第３板部と前記第５板部との間に挟まれる第１部位と、前記第１部位から屈曲して前記第４板部と前記第６板部との間に挟まれる第２部位とを有することを特徴とする付記３に記載のケーブル固定具。
【００９２】
（付記５）  前記第２板部は、前記第１支持具と前記第２支持具との間に挟まれる領域のうちの一の箇所で屈曲可能な屈曲部を有し、屈曲される前記一の箇所に対して一方の側が前記第１部位となり、他方の側が前記第２部位となることを特徴とする付記４に記載のケーブル固定具。
【００９３】
（付記６）  前記屈曲部は、前記第２板部の表層に設けられ、前記第２板部の屈曲される方向と直交する第２方向に延在し、各々が前記第２板部の屈曲される前記一の箇所として屈曲可能な複数の切り欠き部を有することを特徴とする付記５に記載のケーブル固定具。
【００９４】
（付記７）  前記第１板部は、前記第２板部の屈曲される前記一の箇所が調整されることによって、前記第１コネクタに当接する位置に調整されることを特徴とする付記５又は６に記載のケーブル固定具。
【００９５】
（付記８）  前記第２支持具は、前記第５板部に設けられた開口部を有し、
前記第１押さえ部材は、前記第２板部上に設けられ、前記開口部から露出し、前記第２板部の屈曲される前記一の箇所を調整するためのつまみを有することを特徴とする付記５乃至７のいずれかに記載のケーブル固定具。
【００９６】
（付記９）  前記第１コンセントに並設された第２コンセントと前記第２コンセントに差し込まれた第２ケーブルの第２コネクタとに対向する第７板部と、前記第７板部から前記対向方向の前記一方側に屈曲した第８板部とを有する第２押さえ部材を更に含み、
前記支持部材は、前記第１押さえ部材を支持し、前記第１板部が前記第１コネクタに当接する位置で前記第２板部を固定可能であり、且つ、前記第２押さえ部材を支持し、前記第７板部が前記第２コネクタに当接する位置で前記第８板部を固定可能であることを特徴とする付記１乃至８のいずれかに記載のケーブル固定具。
【００９７】
（付記１０）  第１コンセントと、
前記第１コンセントに差し込まれた第１コネクタを有する第１ケーブルと、
前記第１ケーブルを固定するケーブル固定具と
を備え、
前記ケーブル固定具は、
前記第１コンセントと前記第１コネクタとに対向する第１板部と、前記第１板部から、前記第１板部と前記第１コンセントとの対向方向の一方側に屈曲した第２板部とを有する第１押さえ部材と、
前記第１押さえ部材を支持し、前記第１板部が前記第１コネクタに当接する位置で前記第２板部を固定可能な支持部材と
を含むことを特徴とする電子装置。
【００９８】
（付記１１）  前記第１コンセントに並設された第２コンセントと、
前記第２コンセントに差し込まれた第２コネクタを有する第２ケーブルと
を更に備え、
前記ケーブル固定具は、前記第２コンセントと前記第２コネクタとに対向する第７板部と、前記第７板部から前記対向方向の前記一方側に屈曲した第８板部とを有する第２押さえ部材を更に含み、
前記支持部材は、前記第１押さえ部材を支持し、前記第１板部が前記第１コネクタに当接する位置で前記第２板部を固定可能であり、且つ、前記第２押さえ部材を支持し、前記第７板部が前記第２コネクタに当接する位置で前記第８板部を固定可能であることを特徴とする付記１０に記載の電子装置。
【００９９】
（付記１２）  前記第１コネクタと前記第２コネクタとは、前記対向方向の寸法が異なることを特徴とする付記１１に記載の電子装置。
【符号の説明】
【０１００】
１  電子装置
１ａ，１１，１１１  コンセント
１ｂ，１２  本体
２，２０，３１０  電源ケーブル
２ａ，２１，３１１  コネクタ
２ｂ，２２，３１２  電線部
２ｃ，２２ｃ，３１２ｃ  根元被覆部
３Ａ，３Ｂ，３０，４００  ケーブル固定具
４  押さえ部材
４ａ，４ｂ，６ｂ，７ｂ，４１，４２，６１，６２，６３，７１，７２，４１１，４１２，４１３  板部
４ｂａ，４ｂｂ，４０ａ，４０ｂ  面
５  支持部材
６，７  支持具
１０，１００  ＰＤＵ
１３，３００  主電源ケーブル
１４，１５，１１０  ブロック
４０  押さえ
４２ａ，４２ｂ  部位
４２ｃ  切り欠き部
４３  つまみ
４４，６４，７３，７４，４１４  開口部
５０  支持金具
６０  固定金具
６５，６６ａ，７５  ネジ穴
６６  張り出し部
７０  押さえ金具
７６  スペーサ
８０，２００  ラック
８１，２１０  フレーム
１１１ａ  凹部
１１１ｂ，３１１ｂ  端子
３１１ａ  挿入部
【図１】
2020145021.tif 000003
【図２】
2020145021.tif 000004
【図３】
2020145021.tif 000005
【図４】
2020145021.tif 000006
【図５】
2020145021.tif 000007
【図６】
2020145021.tif 000008
【図７】
2020145021.tif 000009
【図８】
2020145021.tif 000010
【図９】
2020145021.tif 000011
【図１０】
2020145021.tif 000012
【図１１】
2020145021.tif 000013
【図１２】
2020145021.tif 000014
【図１３】
2020145021.tif 000015
【図１４】
2020145021.tif 000016
【図１５】
2020145021.tif 000017
【図１６】
2020145021.tif 000018
【図１７】
2020145021.tif 000019
【図１８】
2020145021.tif 000020
【図１９】
2020145021.tif 000021
【図２０】
2020145021.tif 000022
【図２１】
2020145021.tif 000023